(57)【要約】【課題】レセプタクル筐体の共用化が可能で、しかも、導光板を安価に組み込むことができる構成で、通信状態の表示をレセプタクル筐体の前面部で可能としたベールとアクチュエータを有する光トランシーバを提供する。【解決手段】ホスト装置に着脱されラッチ機能を有するトランシーバであって、光コネクタを受納する開口部を有するレセプタクル部１３と、開口部１４を囲むように配されるＵ字状のベール１７と、アクチュエータ組立体１６とを備え、アクチュエータ組立体１６は、本体部１９及び該本体部の両側に配置された導光部材１８とを有し、光トランシーバ内部であって、レセプタクル部１３の開口部１４とは反対側に配した発光素子の出射光を、導光部材１８によりレセプタクル部１３の開口部１４側で表示する。また、中継用の導光部材を発光素子とレセプタクル部開口周囲に到達する導光部材との間に配するようにしてもよい。【選択図】図１
2007041444.tif 000002
【特許請求の範囲】
【請求項１】
ホスト装置に着脱されラッチ機能を有するトランシーバであって、光コネクタを受納する開口部を有するレセプタクル部と、前記開口部を囲む様に配されるＵ字状のベールと、アクチュエータ組立体とを備え、前記アクチュエータ組立体は、本体部及び該本体部の両側に配置された導光部材とを有し、前記光トランシーバ内部であって、前記レセプタクル部の前記開口部とは反対側に配した発光素子の出射光を、前記導光部材により前記レセプタクル部の前記開口部側で表示するように構成したことを特徴とする光トランシーバ。
【請求項２】
前記アクチュエータ組立体の導光部材と前記発光素子との間に、中継用導光部材を配することを特徴とする請求項１に記載の光トランシーバ。
【発明の詳細な説明】
【技術分野】
【０００１】
本発明は、通信状態の表示手段を備えた光トランシーバに関する。
【背景技術】
【０００２】
光トランシーバは、発光素子と受光素子を備え、光コネクタを介して信号光を送受信する光トランシーバで、複数の電子部品、電子回路及び回路基板が収納される本体部と、光コネクタが着脱可能に接続されるレセプタクル部とを有している。この光トランシーバは、例えば、ホスト装置のケージに着脱可能に挿入されて、ケージの奥部に配された電気コネクタと電気的に接続されケージにロックされる。
【０００３】
光トランシーバとケージとの着脱機構としては、例えば、特許文献１に開示のように、アクチュエータと回転可能なベール（取手）とを別々に形成し、これを光トランシーバ本体部のカバーに備えられたバネ部で押えるようにして本体に組み付ける構成のものが知られている。この構成は、光トランシーバがケージに挿入されている状態で、ベールを回動させると、ベールの一端がアクチュエータの一端を外方に押しやり、支点を中心にシーソー運動するアクチュエータの他端側に設けられた係止突起が、ケージの係止孔から脱出することでロック状態が解除される。
【特許文献１】米国特許第６４３９９１８号明細書
【発明の開示】
【発明が解決しようとする課題】
【０００４】
光トランシーバの使用形態として、その通信状態を発光ダイオード（ＬＥＤ）等の発光素子を用いて表示するのが一般的である。オペレータは、発光素子の表示状態から、光トランシーバの通信エラー発生等の状況を把握する。このため、発光素子は、光トランシーバの近傍で、見やすい位置に設置されているのが望ましい。しかしながら、近年、通信機器の小型化、高密度実装化により、複数の光トランシーバを多連配置や上下配置する使用形態が必要とされる場合が多くなっている。このため、前記の発光素子を設置するスペースが得られず、光トランシーバから離れた位置に設置している。表示が光トランシーバから離れた位置にあると、通信エラーの表示を見誤ったりするので、好ましい形態ではなかった。
【０００５】
このような問題を解決する方法として、例えば、図６（Ａ）の斜視図、図６（Ｂ）の正面図に示すような小型のプラガブル光トランシーバ（ベール無しの例）が考えられる。この光トランシーバ１は、本体部２の前部にレセプタクル部３を備え、ホスト装置（図示せず）に密接配列で複数並べて挿着される。レセプタクル部３の前部には、光コネクタ（図示せず）が挿入される光コネクタ受納部４を有し、レセプタクル筐体５に表示窓６を設け、この表示窓６にアクリル樹脂等の導光部材７を用いて発光素子８（例えば、ＬＥＤ）の表示光を表示させるようにすることが考えられる。
【０００６】
この場合、発光素子８は、レセプタクル部３の後部に配置することができるが、導光部材７の関係で発光素子８の配置に制約があると共に、発光素子８搭載のための基板や接続ハーネス９を必要とする。また、導光部材７を組み込むのにレセプタクル筐体５の形状が複雑になり、成型金型のコストアップ、あるいは切削等の追加加工が必要になる場合もある。これらの加工等は、発光素子８を搭載しない場合にも、部品共用化の面から実施されるため、コスト面で不利となる。
【０００７】
なお、レセプタクル筐体５の前部の側壁部分に発光素子８を配置するのは、スペース的に無理であるが、レセプタクル筐体５の前部の下部側には、発光素子８を配置するスペースを設けることは可能である。しかしながら、この場合も、その表示領域は制限を受けると共に、表示不要の光トランシーバとのレセプタクル筐体５の共用化ができず、部品追加等でコストアップとなる。また、上記特許文献１に開示の光トランシーバのように、ベールを有する場合は、ベールのレバーがレセプタクル筐体を横切っているため、導光部材の配置や、筐体下部側にスペースを設けることが可能な場合でも、発光素子８を配置するには、ベールを避ける構成となるため、安価な構成で搭載することは難しい。
【０００８】
本発明は、上述した実情に鑑みてなされたもので、レセプタクル筐体の共用化が可能で、しかも、導光部材を安価に組み込むことができる構成で、通信状態の表示をレセプタクル筐体の前面部で可能としたベールとアクチュエータを有する光トランシーバの提供を課題とする。
【課題を解決するための手段】
【０００９】
本発明による光トランシーバは、ホスト装置に着脱されラッチ機能を有する光トランシーバであって、光コネクタを受納する開口部を有するレセプタクル部と、開口部を囲むように配されるＵ字状のベールと、アクチュエータ組立体とを備え、アクチュエータ組立体は、本体部及び該本体部の両側に配置された導光部材とを有し、光トランシーバ内部であって、レセプタクル部の開口部とは反対側に配した発光素子の出射光を、導光部材によりレセプタクル部の前記開口部側で表示するようにする。また、中継用の導光部材を発光素子とレセプタクル部開口周囲に到達する導光部材との間に配するようにしてもよい。
【発明の効果】
【００１０】
本発明によれば、光トランシーバの本体部基板に通信状態を表示する発光素子を比較的自由な配置で搭載し、光トランシーバの前面で表示させることが可能となる。また、アクチュエータ組立体は、平板状で表示用の導光部材を比較的シンプルな形で組付けることができ、設計に自由度を持たせることができると共にレセプタクル筐体の共用化が可能で、安価に実施することができる。
【発明を実施するための最良の形態】
【００１１】
図により本発明の実施の形態を説明する。図１は本発明による光トランシーバの斜視図、図２は正面図、図３は側面図、図４は分解斜視図、図５はアクチュエータ組立体の一例を説明する図である。図中、１１は光トランシーバ、１２は本体部、１２ａは回路基板部、１２ｂはシールドケース、１３はレセプタクル部、１４は開口部、１５はレセプタクル筐体、１６はアクチュエータ組立体、１７はベール、１７ａはアーム部、１８は導光部材、１８ａは前側導光部、１８ｂは後側導光部、１９はアクチュエータ本体部、１９ａはアクチュエータ前部、１９ｂはアクチュエータ後部、２０は発光素子、２１は中継用導光部材、２２ａは軸支孔、２２ｂは嘴状係合片、２３は軸支突起、２４はカム突起、２５はラッチ突起、２６は係止孔、２７は結合ピン、２８は結合穴を示す。
【００１２】
本発明の光トランシーバを、例えば、プラガブル光トランシーバの例で示すと、図１に示すような形状となる。光トランシーバ１１は、シールドケース１２ｂで囲われた本体部１２の前部に、光コネクタが挿入されるレセプタクル部１３を有している。光トランシーバ１１内には、発光素子、受光素子等の光部品、光信号の送受信を行なうための増幅素子等の電子部品や電子回路、及び、これらを実装するための回路基板部１２ａを備えている（図３）。この光トランシーバ１１は、ホスト装置（図示せず）のフロントパネル開口から装置内に載置されたケージ内に挿着され、ケージの奥部に配された電気コネクタ（図示せず）により電気的に接続される。
【００１３】
レセプタクル部１３は、２組の光コネクタを受納する開口部１４を備え、この開口部１４に光ケーブルに接続された光コネクタが挿入された際に、開口部奥部に配された発光素子及び受光素子と光ケーブル中の光ファイバとが光接続され、光信号の送受信が行なわれる。レセプタクル部１３には、光トランシーバ１１をケージ内に挿入してラッチし、また、このラッチを解除して光トランシーバ１１をケージから取り外すためのアクチュエータ組立体１６とベール１７が設けられている。
【００１４】
アクチュエータ組立体１６は、詳細は後述するが、アクチュエータ本体部１９の両側部に導光部材１８が取付けられ（図２）、アクチュエータ本体部１９と導光部材１８が一体的になって、全体としてアクチュエータとしての機能を持たせている。したがって、導光部材１８の外側には、ベール１７の嘴状係合片２２が係合するカム突起２４が一体に設けられ（図３）、ベールの回動に応じて傾動される構成となっている。ベール１７は、Ｕ字状でその両側のアーム部１７ａがレセプタクル筐体１５の側面に設けた軸支突起２３に嵌合し、ベール１７を所定の範囲で回動可能とされている。
【００１５】
ベール１７は、図１〜図３に示すように、レセプタクル筐体１５の上面側、開口部１４を囲むように位置していて、開口部１４には、光コネクタが挿入可能状態となっている。このとき、アクチュエータ組立体１６に設けられているラッチ突起２５（図３）は、ケージの係止孔に係合して、光トランシーバ１１の装着をラッチしている。ここで、ベール１７を回動させると、アクチュエータ組立体１６は傾動されてラッチ突起２５がシールドケース１２ｂ内に引っ込み、ケージの係止孔からの係合を解除し、光トランシーバ１１をケージから引き出すことができる。
【００１６】
アクチュエータ組立体１６は、開口部１４を囲んでベール１７の反対側に設置され、その両側に導光部材１８を有している。図３に示すように、導光部材１８の前端部１８ａは、レセプタクル筐体１５の前部に位置して表示を行い、後端部１８ｂは、レセプタクル部１３の後部側から突き出て、トランシーバ本体部１２内に配された発光ダイオード等の発光素子２０と光学的に結合されている。発光素子２０の配置位置が、導光部材１８の後端部１８ｂから離れた位置となる場合は、中継用導光部材２１を用いて後端部１８ｂと発光素子２０とを光学的に結合させることができる。
【００１７】
図４は、上述した光トランシーバのレセプタクル部１３の分解斜視図を示し、アクチュエータ組立体１６は、レセプタクル筐体１５にシーソー状に傾動するように取付けられる（取付け構造は省略）。このアクチュエータ組立体１６は、アクチュエータとしての強度を備えたアクチュエータ本体部１９の両側に、光トランシーバ１１内の表示光を外部に導出するための導光部材１８を組付けて一体化構造としている。形状としては、レセプタクル筐体１５の下面側、図４に示される側に配しても、厚さを薄く形成することができ、ベールの回動によって傾動を生じさせるためのカム突起２４が、導光部材１８と一体的に設けられる。
【００１８】
ベール１７は、例えば、両側にアーム部１７ａを有するＵ字形状で形成され、アーム部１７ａには、レセプタクル筐体１５の両側面に設けた軸支突起２３に係合されて回動可能に取付けるための軸支孔２２ａと、カム突起２４に係合する嘴状係合片２２ｂが一体に設けられている。なお、ベール１７は、アクチュエータ組立体１６を水平に保持するラッチ状態と、９０度程度を前方に回動して、アクチュエータ組立体１６の前部を押し下げたラッチ解除状態の２つの位置の何れかを、スナップ的に得られる構成とされている。
【００１９】
アクチュエータ組立体１６の詳細を図５の例により説明する。アクチュエータ組立体１６は、上述したように、アクチュエータ本体部１９の両側に光トランシーバ１１内の表示光を外部に導出するための導光部材１８を組付けて一体化された構造とされる。また、本発明では、ベールとは別体のアクチュエータを用いることにより、ベールとの干渉がないため薄くすることが可能となる。しかし、アクチュエータは、ラッチ強度として９０Ｎ以上の引張り強度が要求されるが、強度に対してはアクチュエータ本体部１９に金属又は高強度な樹脂を用い、かつ引張り加重をレセプタクル筐体１５に伝える係止孔２６を有する事で、アクリル樹脂等で形成される導光部材１８には負荷が発生しない構造が実現でき、厚さを増加させることなく強度を確保することができる。
【００２０】
アクチュエータ本体部１９は、途中に段部１９ｃを有するアクチュエータ前部１９ａとアクチュエータ後部１９ｂからなるが、ほぼ均一な厚み（２ｍｍ程度）の厚さで形成することができる。段部１９ｃの部分には、レセプタクル筐体に傾動可能に支持させるための係止孔２６を設け、アクチュエータ後部１９ｂの下面側には、ラッチ突起２５が設けられる。また、アクチュエータ本体部１９の両側部には、導光部材１８を結合一体化するための結合穴２８が設けられている。
【００２１】
導光部材１８は、透光性のある樹脂で成型され、アクチュエータ本体部１９の側面と一致する形状の前側導光部１８ａと後側導光部１８ｂからなり、外側部分にはベールの回動に応動するカム突起２４が一体に形成されている。また、内側部分にはアクチュエータ本体部１９の側部に結合一体化するための結合ピン２７が設けられている。なお、結合ピン２７をアクチュエータ本体部１９に設け、結合穴２８を導光部材１８に設ける構成であってもよい。
【００２２】
上述したように、レセプタクル部のアクチュエータに導光部材を組み込むことにより、光トランシーバの前面側に表示領域を確保することができる。また、発光素子からの表示光は、中継用の導光部材を用いて、比較的容易にアクチュエータの前面側に導光することができる。このため、発光素子は、光トランシーバの本体部の回路基板上の任意の場所に設置することができ、配置場所の自由度が増すと共に、発光素子の回路配線を容易にし、低コスト化、信頼性の面でも有用である。また、表示機能が不要な光トランシーバに対しては、アクチュエータを交換するだけで済むので、レセプタクル筐体の共用化も推進することが可能となる。
【図面の簡単な説明】
【００２３】
【図１】本発明による光トランシーバの概略を説明する斜視図である。
【図２】図１の正面図である。
【図３】図１の側面図である。
【図４】図１の分解斜視図である。
【図５】本発明によるアクチュエータ組立体の一例を説明する図である。
【図６】従来技術の課題を説明する図である。
【符号の説明】
【００２４】
１１…光トランシーバ、１２…本体部、１２ａ…回路基板部、１２ｂ…シールドケース、１３…レセプタクル部、１４…開口部、１５…レセプタクル筐体、１６…アクチュエータ組立体、１７…ベール、１７ａ…アーム部、１８…導光部材、１８ａ…前側導光部、１８ｂ…後側導光部、１９…アクチュエータ本体部、１９ａ…アクチュエータ前部、１９ｂ…アクチュエータ後部、２０…発光素子、２１…中継用導光部材、２２ａ…軸支孔、２２ｂ…嘴状係合片、２３…軸支突起、２４…カム突起、２５…ラッチ突起、２６…係止孔、２７…結合ピン、２８…結合穴。
【図１】
2007041444.tif 000003
【図２】
2007041444.tif 000004
【図３】
2007041444.tif 000005
【図４】
2007041444.tif 000006
【図５】
2007041444.tif 000007
【図６】
2007041444.tif 000008